(57)【要約】【課題】光ネットワークにおいては、光ネットワークの利用効率の低下を招くことなく、多重障害発生時の障害回復を図ることが困難である。【解決手段】本発明の光ネットワーク管理装置は、複数の運用パスを第一の物理経路に設定し、複数の運用パスのそれぞれに対応する複数の予備パスを、第一の物理経路とは異なる複数の物理経路にそれぞれ設定する光パス設定手段と、複数の運用パスと、複数の予備パスの少なくともひとつと、に障害が発生した場合、複数の運用パスの帯域を変更した障害時光パスを障害が発生した予備パスが設定された物理経路とは異なる物理経路に設定する障害時光パス設定手段、とを備える。【選択図】      図１
2019146272.tif 000002
【特許請求の範囲】
【請求項１】
複数の運用パスを第一の物理経路に設定し、前記複数の運用パスのそれぞれに対応する複数の予備パスを、前記第一の物理経路とは異なる複数の物理経路にそれぞれ設定する光パス設定手段と、
前記複数の運用パスと、前記複数の予備パスの少なくともひとつと、に障害が発生した場合、前記複数の運用パスの帯域を変更した障害時光パスを前記障害が発生した予備パスが設定された物理経路とは異なる物理経路に設定する障害時光パス設定手段、とを備える
光ネットワーク管理装置。
【請求項２】
前記複数の運用パスの一つに対応する前記複数の予備パスは、互いに異なる物理経路である
請求項１に記載した光ネットワーク管理装置。
【請求項３】
前記障害が発生した予備パスが設定された物理経路とは異なる物理経路に設定された予備パスは第三の物理経路に含まれ、
前記第三の物理経路は、前記障害が発生した予備パスを含む物理経路である第二の物理経路および前記第一の物理経路とは異なる物理経路である
請求項１または２に記載した光ネットワーク管理装置。
【請求項４】
前記帯域の変更は、障害発生時の帯域保証率に基づいて行われる
請求項１から３のいずれか一項に記載した光ネットワーク管理装置。
【請求項５】
前記帯域の変更は、波長スロット数の削減を用いて行われる
請求項１から４のいずれか一項に記載した光ネットワーク管理装置。
【請求項６】
前記帯域の変更は、トラヒック要求の優先度に基づいて行われる
請求項１から５のいずれか一項に記載した光ネットワーク管理装置。
【請求項７】
前記優先度に基づいて、該優先度が低いトラヒック要求の棄却または該優先度に応じた波長リソース割り当てが行われる
請求項６に記載した光ネットワーク管理装置。
【請求項８】
前記帯域の変更は、トラヒック要求毎の余剰の波長リソースの等分割を用いて行われる
請求項１から５のいずれか一項に記載した光ネットワーク管理装置。
【請求項９】
前記光パス設定手段は、前記複数の運用パスのそれぞれに対応する前記複数の予備パスを、通信品質が略同一である物理経路に設定する
請求項１から８のいずれか一項に記載した光ネットワーク管理装置。
【請求項１０】
前記障害時光パス設定手段は、前記複数の運用パスの帯域と前記障害が発生した予備パスの帯域とを変更した前記障害時光パスを前記障害が発生した予備パスが設定された物理経路とは異なる物理経路に設定する
請求項１から９のいずれか一項に記載した光ネットワーク管理装置。
【発明の詳細な説明】
【技術分野】
【０００１】
本発明は、光ネットワーク管理装置に関し、特に、基幹系光ネットワークに用いられる光ネットワーク管理装置に関する。
【背景技術】
【０００２】
基幹系光ネットワークは、クライアント装置のトラヒックを契約サービス品質（サービスクラス）に従って、拠点間を接続する光ファイバ通信路を介して通信する機能を提供する。ここで基幹系光ネットワークは、ノード装置とクライアント装置との間のインターフェースを介してクライアント信号を受信する。そして、種々の多重方式を用いて複数のクライアント信号を多重した後に、より大容量な基幹伝送通信路を介して通信する。多重方式には、波長分割多重（Ｗａｖｅｌｅｎｇｔｈ  Ｄｉｖｉｓｉｏｎ  Ｍｕｌｔｉｐｌｅｘｉｎｇ：ＷＤＭ）方式、時分割多重（Ｔｉｍｅ  Ｄｉｖｉｓｉｏｎ  Ｍｕｌｔｉｐｌｅｘｉｎｇ：ＴＤＭ）方式、および直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）方式などが用いられる。
【０００３】
基幹系光ネットワークでは、１チャネル当たり１００Ｇｂｐｓ（Ｇｉｇａ  ｂｉｔ  ｐｅｒ  ｓｅｃｏｎｄ）級の超大容量トラヒックの通信が行われている。そのため基幹系光ネットワークにおいては、光ファイバの断線や光ノード装置の故障等に起因する障害に対する障害回復技術と、光周波数資源の利用効率を向上させる技術が重要となる。
【０００４】
障害回復技術として、１＋１プロテクション方式および共有型プロテクション方式などが知られており、このような障害回復技術の一例が特許文献１に記載されている。
【０００５】
特許文献１に記載された信号切替装置は、信号切替部、ユーザ信号を冗長化のため分岐する分岐部、装置全体の監視および制御を行う装置監視制御部を備えている。信号切替装置は、現用経路、第一予備経路、第二予備経路を介して、ユーザ信号を他方の信号切替装置へ送信している。他方の信号切替装置では上記の経路からの受信信号を受け、信号監視部で現用経路、予備経路の信号状態を監視した上で、選択部により正常な信号を選択し、ユーザ装置へ出力している。
【０００６】
現用経路が正常な場合は、信号切替部は現用経路と接続するように設定されている。現用経路に障害が発生した場合は、受信側の切替装置の選択部にて第一予備経路からの信号が選択され、ユーザ装置に出力される。
【０００７】
予備経路の信号監視部は第一予備経路を監視している。第一予備経路からの信号に信号断、誤り率のしきい値超過等の障害を検出すると、装置監視制御部は信号切り替え部を制御して、第一予備経路から第二予備経路に接続を切り替える。
【０００８】
このような構成としたことにより、予備系を常に正常に維持できるので、送受信ノード間の伝送路や装置の２重故障にも対応可能な高信頼１＋１冗長構成を実現できる、としている。
【０００９】
一方、光周波数資源を有用に利用するために、エラスティック光ネットワーク方式が提案されている（例えば、特許文献２参照）。エラスティック光ネットワーク方式においては、複数のノードが光ファイバで接続されたネットワーク上において、光信号を送受信するノード間の経路に、光信号の伝送容量に応じた必要最小限の周波数帯域を割り当てることが可能である。またエラスティック光ネットワーク方式では、割り当てる周波数帯域を所定の周波数幅を１スロット単位としたスロットの個数によって柔軟に決定することができる。
【００１０】
このように、エラスティック光ネットワーク方式によれば、トラヒックの所要容量に応じて光パスの所要波長スロット数を変化させることができる。これにより、従来の固定グリッド網では活用できなかった余剰の波長資源にも光パスを割り当てることができ、光ネットワークの利用効率を向上させることが可能になる。
【００１１】
また、関連技術としては、特許文献３〜５に記載された技術がある。
【先行技術文献】
【特許文献】
【００１２】
【特許文献１】特開２００８−３０１５０９号公報
【特許文献２】特開２０１４−０４５４６３号公報
【特許文献３】特開２０１０−１６６３２８号公報
【特許文献４】特開２００６−０３３３１９号公報
【特許文献５】特開２００３−２２４５８５号公報
【発明の概要】
【発明が解決しようとする課題】
【００１３】
上述した障害回復技術においては、現用経路に対して第一予備経路と第二予備経路を備える構成としている。すなわち、複数箇所で同時に障害が発生した場合に備えて複数の予備パスをあらかじめ設定しておき、障害発生時に残存する予備パスに切替えることにより障害による影響を回避することとしている。
【００１４】
この場合、１個のトラヒック要求を収容するために、３本以上の光パスを用意するための波長資源が必要となる。そのため、光ネットワークの利用効率が大幅に低減するという問題がある。
【００１５】
このように、光ネットワークにおいては、光ネットワークの利用効率の低下を招くことなく、多重障害発生時の障害回復を図ることが困難である、という問題があった。
【００１６】
本発明の目的は、上述した課題である、光ネットワークにおいては、光ネットワークの利用効率の低下を招くことなく、多重障害発生時の障害回復を図ることが困難である、という課題を解決する光ネットワーク管理装置を提供することにある。
【課題を解決するための手段】
【００１７】
本発明の光ネットワーク管理装置は、複数の運用パスを第一の物理経路に設定し、複数の運用パスのそれぞれに対応する複数の予備パスを、第一の物理経路とは異なる複数の物理経路にそれぞれ設定する光パス設定手段と、複数の運用パスと、複数の予備パスの少なくともひとつと、に障害が発生した場合、複数の運用パスの帯域を変更した障害時光パスを障害が発生した予備パスが設定された物理経路とは異なる物理経路に設定する障害時光パス設定手段、とを備える。
【発明の効果】
【００１８】
本発明の光ネットワーク管理装置によれば、光ネットワークの利用効率の低下を招くことなく、多重障害発生時の障害回復を図ることができる。
【図面の簡単な説明】
【００１９】
【図１】本発明の第１の実施形態に係る光通信システムの構成を示すブロック図である。
【図２】本発明の第２の実施形態に係る光通信システムの概略構成を示す図である。
【図３】本発明の第２の実施形態に係る光通信システムを構成する光ネットワーク管理装置と光ノード装置の構成を示すブロック図である。
【図４】本発明の第２の実施形態に係る光通信システムを構成する光ノード装置が備える帯域可変光トランスポンダの構成を示すブロック図である。
【図５】本発明の第２の実施形態に係る光ネットワーク管理装置の動作を説明するためのフローチャートである。
【図６Ａ】本発明の第２の実施形態に係る光通信システムの通常状態における構成を模式的に示す図である。
【図６Ｂ】本発明の第２の実施形態に係る光通信システムの多重障害発生時における構成を模式的に示す図である。
【図７】本発明の第２の実施形態に係る光通信システムのトラヒック要求に応じた構成を示す表である。
【図８】本発明の第２の実施形態に係る光通信システムにおける障害回復動作を説明するためのシーケンス図である。
【図９】本発明の第３の実施形態に係る光通信システムを構成する光ネットワーク管理装置と光ノード装置の構成を示すブロック図である。
【図１０】本発明の第３の実施形態に係る光通信システムを構成する光ノード装置が備える予備パス設定ＤＢが記録している内容の一例を示す表である。
【図１１】本発明の第３の実施形態に係る光通信システムにおける障害回復動作を説明するためのシーケンス図である。
【発明を実施するための形態】
【００２０】
以下に、図面を参照しながら、本発明の実施形態について説明する。なお、図面中の矢印の向きは、一例を示すものであり、ブロック間の信号の向きを限定するものではない。
【００２１】
〔第１の実施形態〕
図１は、本発明の第１の実施形態に係る光通信システム１０００の構成を示すブロック図である。光通信システム１０００は、光ネットワーク管理装置１００と光ノード装置２００を有する。
【００２２】
光ネットワーク管理装置１００は、光パス設定手段１１０と障害時光パス設定手段１２０を備える。光パス設定手段１１０は、同一の物理経路上の複数の運用パスのそれぞれに対する予備パスを、互いに異なる物理経路に設定する。障害時光パス設定手段１２０は、物理経路のうち二以上の物理経路で障害が発生している場合における、障害が発生していない物理経路に、予備パスの帯域を圧縮した障害時予備パスを設定する。
【００２３】
光ノード装置２００は、障害時光パス設定手段１２０が設定した結果である障害時予備パス情報を用いて光信号を送受信する光送受信手段２１０を備える。
【００２４】
次に、本実施形態による光パス設定方法について説明する。本実施形態による光パス設定方法においては、まず、同一の物理経路上の複数の運用パスのそれぞれに対する予備パスを、互いに異なる物理経路に設定する。そして、物理経路のうち二以上の物理経路で障害が発生している場合における、障害が発生していない物理経路に、予備パスの帯域を圧縮した障害時予備パスを設定する。
【００２５】
このように、本実施形態による光通信システム１０００および光パス設定方法においては、予備パスの物理経路の候補として複数の物理経路をあらかじめ設定しておき、各予備パスを分散配置する。そして、複数の物理経路で同時に障害が発生した場合、予備パスの光帯域を圧縮して障害を受けた光パスを収容する構成としている。これにより、光ネットワークの利用効率の低下を招くことなく、多重障害発生時の障害回復を図ることができる。
【００２６】
ここで、光パス設定手段１１０は、複数の運用パスのそれぞれに対する複数の予備パスを、通信品質が略同一である物理経路に設定する構成とすることができる。また、障害時光パス設定手段１２０は、多重障害発生時における帯域保証率に基づいて、予備パスの帯域を圧縮する構成とすることができる。
【００２７】
〔第２の実施形態〕
次に、本発明の第２の実施形態について説明する。図２に、本実施形態による光通信システム２０００の概略構成を示す。同図に示すように、光通信システム２０００は、光ネットワーク管理装置３００と光ノード装置４０１〜４０６を含んで構成され、各光ノード装置は光ファイバ通信路により接続される。
【００２８】
図３に、本実施形態による光通信システム２０００を構成する光ネットワーク管理装置３００と光ノード装置４０１の構成を示す。
【００２９】
光ネットワーク管理装置３００は、データベース部３１０、光パス設計部３２０、および光パス割当制御部３３０を有する。
【００３０】
データベース部３１０は、要求トラヒックＤＢ（データベース）３１１、ネットワーク設備ＤＢ３１２、光パス管理ＤＢ３１３、および多重障害時帯域保証率ＤＢ３１４を備える。光パス設計部３２０は、経路探索部３２１、波長スロット・ファイバ割当決定部３２２、および多重障害時波長スロット数決定部３２３を備える。ここで、経路探索部３２１と波長スロット・ファイバ割当決定部３２２が光パス設定手段を構成し、多重障害時波長スロット数決定部３２３が障害時光パス設定手段を構成する。
【００３１】
一方、光ノード装置４０１は、障害検知部４１０、帯域可変光トランスポンダ４２０、予備パス切替制御部４３０、および大粒度可変切替装置４４０を備える。ここで、帯域可変光トランスポンダ４２０と大粒度可変切替装置４４０が光送受信手段を構成する。
【００３２】
光ネットワーク管理装置３００が備える光パス割当制御部３３０は、各光ノード装置が備える障害検知部４１０および予備パス切替制御部４３０と接続している。ここで、光パス割当制御部３３０が光パス割当制御手段を構成し、障害時光パス設定手段が設定した結果である障害時予備パス情報を光ノード装置４０１に通知する。また、予備パス切替制御部４３０が障害時予備パス情報受付手段を構成し、障害時予備パス情報を受け付ける。
【００３３】
図４に、帯域可変光トランスポンダ４２０の構成を示す。帯域可変光トランスポンダ４２０は、クライアントインターフェース４２１、帯域可変部４２２、および光送受信装置４２３を備える。
【００３４】
帯域可変光トランスポンダ４２０が予備パス切替制御部４３０から予備パス切替制御信号Ｓ１を受け付けると、帯域可変部４２２は帯域保証率に応じて波長スロット数を変更し、光送受信装置４２３は占有波長スロットと変調方式を変更する。帯域保証率が１００％を下回る場合には、帯域可変部４２２はクライアントインターフェース４２１に対してバックプレッシャー信号Ｓ２を送出し、クライアント信号の帯域制御を実施する。
【００３５】
大粒度可変切替装置４４０は光ファイバ通信路に接続され、光パス単位で入出力方路を変更する。大粒度可変切替装置４４０としては例えば、光クロスコネクト装置、帯域可変型波長選択スイッチ等を用いることができる。
【００３６】
次に、本実施形態に係る光ネットワーク管理装置３００の動作について説明する。図５は、本実施形態に係る光ネットワーク管理装置３００の動作を説明するためのフローチャートである。
【００３７】
光ネットワーク管理装置３００においてはまず、経路探索部３２１が要求トラヒックＤＢ３１１から着信順に同一ノード間の通信トラヒック要求を抽出する（ステップＳ２１０）。経路探索部３２１はネットワーク設備ＤＢ３１２に蓄積されている経路情報を参照し、抽出したトラヒック要求の始点ノードと終点ノードを結ぶ互いに重複の無い経路（物理経路）を全て探索する（ステップＳ２２０）。このとき検索アルゴリズムとして、ｋ番目の最短経路（ｋ−ｔｈ  ｓｈｏｒｔｅｓｔ  ｐａｔｈ）アルゴリズムや線形計画法などを用いることができる。
【００３８】
続いて、トラヒック要求に対応する運用パス数と、このときの経路探索数のうち小さい方の値を予備パスの分散経路数とする（ステップＳ２３０）。ここで分散経路数は、予備パスを分散して配置する場合における経路候補の数である。予備パスを分散した経路上に配置することにより、複数の経路において障害が同時に発生した場合であっても、残存する予備パスに障害を受けた光パスを収容させることが可能になる。これにより、多重障害発生時の障害回復を図ることができ、通信の途絶を回避することができる。
【００３９】
次に、波長スロット・ファイバ割当決定部３２２は、経路のリンク品質に基づいて通信トラヒック要求を収容するための波長スロット数および変調方式を決定する（ステップＳ２４０）。このとき、リンク品質が最良な経路を運用パスとし、残りの経路群を予備パスとする。
【００４０】
波長スロット・ファイバ割当決定部３２２は、通信を確立するための空き波長スロットが存在するかを調べる（ステップＳ２５０）。空き波長スロットが不足している場合には（ステップＳ２５０／ＮＯ）、ファイバを増設（ステップＳ２６０）した後に、空き波長スロットに光パスを割り当てる（ステップＳ２７０）。そして、光パス割当結果を光パス管理ＤＢ３１３に保存する。
【００４１】
要求トラヒックＤＢ３１１が管理する全てのトラヒック要求に対して光パスの割り当てを決定した後に（ステップＳ２８０／ＮＯ）、光パス設計部３２０は光パス割当結果を光パス割当制御部３３０に通知する。光パス割当制御部３３０は各光ノード装置４０１〜４０６に光パス設計結果を通知する（ステップＳ２９０）。
【００４２】
各光ノード装置４０１〜４０６は、光ネットワーク管理装置３００の光パス設計結果に基づいてそれぞれの動作を設定する。
【００４３】
なお、光ネットワーク管理装置３００は、予備パスをリンク品質が略同一となる分散経路に割り当てるように制御することが望ましい。これは、同一のサービスに対してリンク品質が異なると、光パス間の遅延によりサービス品質が低下するためである。この場合、予備パスの光リンクの変調方式などを、同一方式に設定することができる。そのため、管理パラメータの個数を低減することができ、多重障害発生時に高速な光パスの切り替えを実現することが可能になる。
【００４４】
次に、本実施形態による光通信システム２０００における障害回復動作について説明する。
【００４５】
図６Ａ、６Ｂに、本実施形態による光通信システム２０００の構成を模式的に示す。図６Ａは通常状態、図６Ｂは多重障害発生時における光通信システム２０００の構成である。
【００４６】
図６Ａに示すように、光ノード装置４０１と光ノード装置４０６との間の２個のトラヒック要求Ｗ３０１、Ｗ３０２に対して、光パスプロテクションを設定する場合を例として説明する。図７に示すように、２個のトラヒック要求Ｗ３０１、Ｗ３０２に対する予備パスＢ３０１、Ｂ３０２は互いに重複が無い経路に割り当てられる。すなわち、予備パスＢ３０１は、光ノード装置４０１、４０２、４０３、４０６を経由する物理経路に割り当てられる。一方、予備パスＢ３０２は、光ノード装置４０１、４０４、４０５、４０６を経由する物理経路に割り当てられる。
【００４７】
図６Ｂに示すように、光ノード装置４０１と光ノード装置４０６との間、および光ノード装置４０４と光ノード装置４０５との間の複数の経路で同時に障害が発生すると、運用パスＷ３０１とＷ３０２、および予備パスＢ３０２が途絶する。この場合における障害回復動作を、図８のシーケンス図を用いて説明する。
【００４８】
光ネットワーク管理装置３００はまず、各光ノード装置４０１〜４０６に光パス設定を通知する（ステップＳ３１０）。その後に多重障害が発生すると、光ノード装置４０１および光ノード装置４０６がそれぞれ備える障害検知部４１０は、光ネットワーク管理装置３００の光パス割当制御部３３０に障害発生を通知する（ステップＳ３２０）。障害発生通知を受け付けると、光ネットワーク管理装置３００が備える多重障害時波長スロット数決定部３２３は、多重障害時帯域保証率ＤＢ３１４を参照して多重障害時における予備パスの波長スロット割当を決定する（ステップＳ３３０）。そして、光ネットワーク管理装置３００が備える光パス割当制御部３３０は、予備パスの波長スロット割当の設定値を光ノード装置４０１、４０６が備える予備パス切替制御部４３０に通知する。その後、光ノード装置４０１および光ノード装置４０６がそれぞれ備える予備パス切替制御部４３０は、帯域可変光トランスポンダ４２０と大粒度可変切替装置４４０を制御し、障害を受けた光パスの予備パスを稼働させる（ステップＳ３４０）。
【００４９】
図７に示したように、本実施形態の光通信システム２０００においては、運用パスＷ３０１とＷ３０２に対して多重障害発生時帯域保証率が共に５０％に設定されているものとしている。この場合、運用パスの波長スロット数を２個とすると、多重障害発生時の波長スロット数は運用パスの半分である１個となる。したがって、図６Ｂにおいて障害が発生していない経路、すなわち光ノード装置４０２と光ノード装置４０３を経由する経路に、運用パスＷ３０１とＷ３０２に対してスロット数が１個の予備パスを２本収容することができる。
【００５０】
このように、本実施形態による光通信システム２０００においては、予備パスを互いに重複の無い複数の物理経路上に分散配置する。そして、複数の物理経路で同時に障害が発生した場合には、多重障害発生時帯域保証率に応じて予備パスの波長スロット数を削減して、障害を受けた予備パスを収容する構成としている。これにより、光ネットワークの利用効率の低下を招くことなく、多重障害発生時の障害回復を図ることができる。その結果、通信の途絶を防止することができる。
【００５１】
多重障害時帯域保証率に基づく所要の波長スロット数に対して、残存する波長リソースが不足する場合には、各光パスに割り当てる波長リソースを保証率以下に設定することにより通信の接続性を保つことができる。また、トラヒック要求に優先度が設けられている場合には、優先度が低いトラヒック要求を棄却することにより、残存する波長リソースに相当する分だけの障害回復を実施することとしてもよい。これらの処理と並行して、障害時に経路を再計算することによって障害回復を行うリストレーション方式によって、障害回復用の波長リソースを確保することとしてもよい。この後に、多重障害時帯域保証率を満足するように予備パスを再設計することが可能である。
【００５２】
上述した場合と反対に、多重障害時帯域保証率に基づく所要の波長スロット数に対して、残存する波長リソースが余剰となる場合には、余剰の残存する波長リソースをトラヒック要求毎に等分割して割り当てることができる。また、トラヒック要求に優先度が定義されている場合には、優先度に応じた重み付けを実施して余剰の波長リソースを割り当てることとしてもよい。
【００５３】
〔第３の実施形態〕
次に、本発明の第３の実施形態について説明する。図９に、本実施形態による光通信システム３０００を構成する光ネットワーク管理装置３００と光ノード装置４０２の構成を示す。
【００５４】
光ネットワーク管理装置３００は、データベース部３１０、光パス設計部３２０、および光パス割当制御部３３０を有する。この構成は、第２の実施形態による光ネットワーク管理装置と同様である。
【００５５】
光ノード装置４０２は、障害検知部４１０、帯域可変光トランスポンダ４２０、予備パス切替制御部４３０、および大粒度可変切替装置４４０を備える。ここまでの構成は、第２の実施形態による光ノード装置４０１の構成と同様である。本実施形態による光ノード装置４０２は、これらに加えて予備パス設定管理部４５０をさらに備える。
【００５６】
予備パス設定管理部４５０は、予備パス設定ＤＢ４５１と予備パス事前設計Ｉ／Ｆ（インターフェース）４５２を備える。予備パス設定ＤＢ４５１は障害時予備パス情報記録手段を構成し、障害時予備パス情報をあらかじめ記録する。そして、障害時予備パス情報記録手段としての予備パス設定ＤＢ４５１が記録している障害時予備パス情報を用いて、光送受信手段としての帯域可変光トランスポンダ４２０が光信号を送受信する構成とした。
【００５７】
図１０に、予備パス設定ＤＢ４５１が記録している内容の一例を示す。予備パス設定ＤＢ４５１は、想定される障害発生パターン毎に、予備パスの帯域保証率と所要波長スロット、および障害回復経路を保持している。障害発生パターンが膨大になる場合には、光ネットワーク管理装置３００が逐次、予備パス設定ＤＢ４５１を更新する構成としてもよい。これにより、予備パス設定ＤＢ４５１のメモリ容量が増大するのを回避することができる。なお、障害回復経路として大粒度可変切替装置４４０の接続ポートを記録することとしてもよい。
【００５８】
次に、本実施形態による光通信システム３０００の障害発生時の動作について説明する。図１１は、本実施形態の光通信システム３０００が備える光ネットワーク管理装置３００および光ノード装置４０２の動作を説明するためのシーケンス図である。
【００５９】
光ネットワーク管理装置３００はまず、光パス設定の計算結果を各光ノードに通知する（ステップＳ４１０）。その後に、光ノード装置４０２に割り当て済みの光パスの障害発生パターンをｍ重障害発生まで算出する（ステップＳ４２０）。ここで、「ｍ」は０以上の整数であり、少なくとも２以上であることが望ましい。そして、想定される各障害発生パターンに対して、障害を受けずに残存している予備パスの経路と波長スロットを算出する（ステップＳ４３０）。このとき、予備パスのリソースのうち、多重障害時帯域保証率に基づく所要波長スロット数を確保することが可能な予備パスの経路と波長スロットを算出する。光ネットワーク管理装置３００は多重障害回復用の光パスの設定を、光ノード装置４０２が備える予備パス事前設計Ｉ／Ｆ４５２に通知する。予備パス事前設計Ｉ／Ｆ４５２は、この設定を予備パス設定ＤＢ４５１に保存する（ステップＳ４４０）。
【００６０】
予備パス事前設定Ｉ／Ｆ４５２は障害検知部４１０から障害発生通知を受信すると（ステップＳ４５０）、予備パス設定ＤＢ４５１を参照して、対応する障害発生パターンに合致する予備パス設定を予備パス切替制御部４３０に通知する（ステップＳ４６０）。予備パス切替制御部４３０は、この設定通知に基づいて帯域可変光トランスポンダ４２０と大粒度可変切替装置４４０の設定を変更する（ステップＳ４７０）ことにより、障害回復を実施する。以後、障害が発生する度に逐次、ステップＳ４６０、Ｓ４７０の動作を実施する。
【００６１】
次に、（ｍ−ｋ）重の障害が発生した場合（ステップＳ５００）、光ノード装置４０２が備える予備パス事前設計Ｉ／Ｆ４５２は、光ネットワーク管理装置３００に対して（ｍ＋１）重障害発生時の予備パス設定を算出するように要求する（ステップＳ５１０）。ここで、「ｋ」は０以上ｍ未満の整数値である。なお、「ｋ」の値は、予備パスの設定に要する時間および各光ノード装置に搭載するメモリ量を考慮して決定することができる。障害発生数が（ｍ−ｋ）となる時点において予備パス設定の再計算を行うことにより、通信の途絶を回避することができる。
【００６２】
このとき、光ネットワーク管理装置３００は、光ノード装置４０２に割り当て済みの光パスに対して、障害が発生するパターンを算出する（ステップＳ５２０）。その後に、想定される障害発生パターンに対して、障害を受けずに残存している予備パスの経路と波長スロットを算出する（ステップＳ５３０）。このとき、予備パスのリソースのうち、多重障害時帯域保証率に基づく所要波長スロット数を確保することが可能な予備パスの経路と波長スロットを算出する。
【００６３】
これ以降の動作はステップＳ４４０からステップＳ４７０の動作と同様である。すなわち、光ネットワーク管理部３００は多重障害回復用の光パスの設定を、光ノード装置４０２が備える予備パス事前設計Ｉ／Ｆ４５２に通知する。予備パス事前設計Ｉ／Ｆ４５２は、この光パス設定を予備パス設定ＤＢ４５１に保存する。予備パス切替制御部４３０は対応する障害発生パターンに合致する予備パス設定に基づいて、帯域可変光トランスポンダ４２０と大粒度可変切替装置４４０の設定を変更することにより、障害回復を実施する。
【００６４】
新規光パスの追加や削除、またはリストレーションによって光パス設定が変更された場合には、光ネットワーク管理装置３００が適宜、変更された光パス設定を各光ノード装置が備える予備パス設定管理部４５０に通知する。そして、予備パス設定管理部４５０は予備パス設定ＤＢ４５１を更新する。
【００６５】
上述したように、本実施形態による光通信システム３０００は、光ノード装置４０２が予備パス設定管理部４５０を備える構成としている。そのため、光ネットワーク管理装置３００における遅延の影響を受けることなく、多重障害発生時の予備パスを高速に設定することが可能である。
【００６６】
以上説明したように、本実施形態による光通信システム３０００においては、予備パスを互いに重複の無い複数の物理経路上に分散配置する。そして、複数の物理経路で同時に障害が発生した場合には、多重障害発生時帯域保証率に応じて予備パスの波長スロット数を削減して、障害を受けた予備パスを収容する構成としている。これにより、光ネットワークの利用効率の低下を招くことなく、多重障害発生時の障害回復を図ることができる。その結果、通信の途絶を防止することができる。
【００６７】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【符号の説明】
【００６８】
１０００、２０００    光通信システム
１００、３００    光ネットワーク管理装置
１１０    光パス設定手段
１２０    障害時光パス設定手段
２００、４０１〜４０６    光ノード装置
２１０    光送受信手段
３１０    データベース部
３１１    要求トラヒックＤＢ
３１２    ネットワーク設備ＤＢ
３１３    光パス管理ＤＢ
３１４    多重障害時帯域保証率ＤＢ
３２０    光パス設計部
３２１    経路探索部
３２２    波長スロット・ファイバ割当決定部
３２３    多重障害時波長スロット数決定部
３３０    光パス割当制御部
４１０    障害検知部
４２０    帯域可変光トランスポンダ
４２１    クライアントインターフェース
４２２    帯域可変部
４２３    光送受信装置
４３０    予備パス切替制御部
４４０    大粒度可変切替装置
４５０    予備パス設定管理部
４５１    予備パス設定ＤＢ
４５２    予備パス事前設計Ｉ／Ｆ
【図１】
2019146272.tif 000003
【図２】
2019146272.tif 000004
【図３】
2019146272.tif 000005
【図４】
2019146272.tif 000006
【図５】
2019146272.tif 000007
【図６Ａ】
2019146272.tif 000008
【図６Ｂ】
2019146272.tif 000009
【図７】
2019146272.tif 000010
【図８】
2019146272.tif 000011
【図９】
2019146272.tif 000012
【図１０】
2019146272.tif 000013
【図１１】
2019146272.tif 000014